(57)【特許請求の範囲】
【請求項１】
板体とアンカー棒によって構成した羽根付きアンカーを使用し、
法面にはその傾斜方向に沿った、仮想の法面傾斜線を複数本、ほぼ平行に設定し、
羽根付きアンカーを、その板体が法面傾斜線を横断する方向に設定して法面に設置し、
かつ、複数個の羽根付きアンカーが、ほぼ同一の法面傾斜線上に並ぶように設置し、
次に、同一の法面傾斜線上において、羽根付きアンカーが埋設する程度の厚さで、砂と繊維とセメントと水を混合した砂基材を吹きつけ、
かつ、ひとつの法面傾斜線と隣接する法面傾斜線との間は、法面傾斜線上の砂基材の吹きつけ厚さよりも薄く吹き付けて、その部分を縦溝部として形成し、
次に、砂基材の吹きつけ層の上に、植生基材、種子、肥料、接合材などを混合した植生基盤材を、ほぼ同一面を形成するように吹き付けて構成する、
緑化基盤の構築方法。
【請求項２】
羽根付きアンカーにおいて、
アンカー棒は、板体の上縁よりも突出させ、
植生基盤材の吹きつけの際には、
アンカー棒の先端が埋設する程度に吹きつけを行う、
請求項１記載の、緑化基盤の構築方法。
【請求項３】
植生基盤材の吹きつけ厚さは、
砂基材の縦溝部においては厚く、
それ以外のところでは縦溝部よりも薄く構成した、
請求項１記載の、緑化基盤の構築方法。
【請求項４】
砂基材の吹きつけは、
同一の法面線上において、最初に高所の羽根付きアンカーの上方に吹きつけを行い、
徐々に低所の羽根付きアンカーの上方に吹きつけを行う、
請求項１記載の緑化基盤の構築方法。
【発明の詳細な説明】
【技術分野】
【０００１】
本発明は、緑化基盤の構築方法に関するものである。
【背景技術】
【０００２】
緑化基盤を構築する方法として、合成繊維と砂と水を砂基材として法面に吹き付ける方法が採用されている。
【特許文献１】特開２０００−３１９８８８号公報。
【発明の開示】
【発明が解決しようとする課題】
【０００３】
前記した従来の緑化基盤の構築方法にあっては、次のような問題点がある。
＜１＞  まだ固まらない状態の砂基材は、その自重によって締固め効果が生じて固くなりすぎる場合があった。
＜２＞  補強土に用いる砂基材の施工はこれまで法面低所から法面高所へと積み上げるように施工していたために作業効率が悪かった。
＜３＞  補強土に用いる砂基材は一面的に同じ厚みで仕上がられていたために植生基盤との境界面に降雨等の水が広い範囲で流下し、その結果基盤材が剥離したり、流亡する場合があった。
＜４＞  植生基盤は一面的に薄く仕上げられるので、生育基盤が薄い、肥料切れが早く欠乏しやすい、保水性が弱いとったことがあり、枯死したり、生育不良になりやすかった。
【課題を解決するための手段】
【０００４】
上記のような課題を解決するために、本発明の緑化基盤の構築方法は、板体とアンカー棒によって構成した羽根付きアンカーを使用し、法面にはその傾斜方向に沿った、仮想の法面傾斜線を複数本、ほぼ平行に設定し、羽根付きアンカーを、その板体が法面傾斜線を横断する方向に設定して法面に設置し、かつ、複数個の羽根付きアンカーが、ほぼ同一の法面傾斜線上に並ぶように設置し、次に、同一の法面傾斜線上において、羽根付きアンカーが埋設する程度の厚さで、砂と繊維とセメントと水を混合した砂基材を吹きつけ、かつ、ひとつの法面傾斜線と隣接する法面傾斜線との間は、法面傾斜線上の砂基材の吹きつけ厚さよりも薄く吹き付けて、その部分を縦溝部として形成し、次に、砂基材の吹きつけ層の上に、植生基材、種子、肥料、接合材などを混合した植生基盤材を、ほぼ同一面を形成するように吹き付けて構成する、
緑化基盤の構築方法を特徴としたものである。
【発明の効果】
【０００５】
本発明の緑化基盤の構築方法は以上説明したようになるから次のような効果を得ることができる。
＜１＞  羽根付アンカーを適宜の位置に配置する。そのためにまだ固まらないうちの砂基材の重量を適宜の箇所で受けることができ、その結果、砂基材の安定性が得られるとともに、砂基材が自重で締固めが進行して硬くなりすぎることを防ぐことができる。
＜２＞  砂基材の吹き付け厚さが、同一法面傾斜線上の羽根付アンカーの支持範囲と、その間の縦溝部によって異なる構成を採用している。そのために縦溝部において周囲の水を集水したり、法面下部へと効率よく流下させることができるので、植生基盤材の流亡を防止することができる。
＜３＞  植生基盤材の仕上がり面を、ほぼ同一平面を形成するように構成するので、砂基材の縦溝部では厚い基盤が確保される。そのために植物への生育環境がより良く整えられる。また砂基材が薄いから植物と地山との距離が近くなり根茎が根付きやすく、根茎の伸長によって地山を緊縛するので、早期の地山の補強化を計ることができる。
＜４＞  砂基材の吹き付けを法面上方から下方に向けて行えば、作業員は重力にしたがって降下しながら作業を行うことができ、高い作業効率を得ることができる。
【発明を実施するための最良の形態】
【０００６】
以下図面を参照にしながら本発明の好適な実施の形態を詳細に説明する。
【実施例】
【０００７】
＜１＞羽根付きアンカー。
板体１１とアンカー棒１２によって羽根付きアンカー１を構成する。
すなわち適宜の幅と長さを備えた長方形の板体１１のほぼ中央に、板体１１の長手方向と直交する方向にアンカー棒１２を固定する。
アンカー棒１２の先端を法面６に打ち込んで使用する。
この羽根付きアンカー１では、アンカー棒１２は、板体１１の上縁よりも突出させて構成する。
そして後述する植生基盤材３の吹きつけの際には、アンカー棒１２の先端が埋設する程度に吹きつけを行う。
このように、アンカー棒１２の先端が、植生基盤材３の吹きつけの際の、吹き付け位置を決める定規となる。
【０００８】
＜２＞仮想の法面傾斜線５。
本工法を採用する法面６にはその傾斜方向に沿って、仮想の法面傾斜線５を複数本、ほぼ平行に設定する。
この法面傾斜線５は、例えば法面６の裾の位置と、上縁に測量杭を打ち、上下の杭を結んだ線を法面傾斜線５と仮定する。
施工前の段階で、法面６の要所に簡単な目印をつけることによって、法面傾斜線５が作業員に理解できるように設定する。
【０００９】
＜３＞羽根付きアンカー１の設置。
上記した、羽根付きアンカー１を、その板体１１が法面傾斜線５を横断する方向に向けて、アンカー棒１２を法面傾斜線５上に打ち込んで設置する。
こうして、複数個の羽根付きアンカー１が、ほぼ同一の法面傾斜線５上に並ぶように設置する。
法面６上には、適宜の距離だけ離れた多数本の法面傾斜線５がほぼ平行に設定され、各法面傾斜線５ごとに複数個の羽根付きアンカー１が設置される。
隣接する法面傾斜線５の羽根付きアンカー１は、同一の高さに設置せず、位置をずらすことによって、千鳥状に設置することができる。
【００１０】
＜４＞砂基材２の吹きつけ。
次に、法面６に砂基材２を吹き付ける。
砂基材２は、砂と繊維とセメントと水を混合した材料であり、圧縮空気を利用して法面６に吹きつける。
ただし、砂基材２の吹きつけ厚さは均一ではなく、変化をもたせる。
すなわち、同一の法面傾斜線５上において、羽根付きアンカー１が埋設する程度の厚さで吹き付ける。
一方、ひとつの法面傾斜線５と隣接する法面傾斜線５との間は、法面傾斜線５上の砂基材２の吹きつけ厚さよりも薄く吹き付ける。
なお、砂基材２には固結材としてセメントが含まれているが、その量は砂基材の形状を維持する程度のわずかの量であり、したがってセメントの存在が植物の根の発育を阻害することはない。
【００１１】
＜５＞砂基材２の吹きつけ順序。
この砂基材２の吹きつけは、同一の法面傾斜線５上において、最初に高所の羽根付きアンカー１の上方に吹きつけを行い、次に下の段の低所の羽根付きアンカー１の上方に吹きつけを行う。
このように上方から下方に吹き付けを行うことができるのは、適宜の距離だけ離れて羽根付きアンカー１が設置してあり、この羽根付きアンカー１が固まる前の砂基材２のずり下がりの重量を受けるからである。
さらにこのように適宜の箇所で重量を受けることによって、砂基材２が自らの重量で締固めが進行してしまうことを避けることができる。
【００１２】
＜６＞植生基盤材３の吹きつけ。
次に、砂基材２の吹きつけ層の上に、植生基盤材３を吹き付ける。
この植生基盤材３は、例えば植生基材、種子、肥料、接合材などを混合した材料であり、公知の材料、市販されている材料を使用できる。
この植生基盤材３の吹きつけ厚さは、法面傾斜線５上の砂基材２と、縦溝部４の砂基材２とでは厚さを異ならせる。
すなわち法面傾斜線５の上には薄く、縦溝部４の上には厚く吹き付ける。
その結果、仕上がった植生基盤材３の表面が、ほぼ同一の傾斜面を形成するように構成する。
【００１３】
＜７＞縦溝部４の存在。
上記したように砂基材２の吹き付け厚さに相違を設けることによって、ひとつの法面傾斜線５と隣接する法面傾斜線５の間の部分には、法面６の高所から低所へ向かった、吹きつけ厚さの薄い縦溝部４を形成することができる。
縦溝部４が形成できるために、雨が降った場合に、植生基盤材３を通して浸透した水は縦溝部４へ集まり、縦溝部４を通って法面６の高所から低所へ容易に流下し、排水される。
また、上記したように植生基盤材３の吹きつけ厚さは、縦溝部４においては厚くなる。
その結果、縦溝部４においては厚い植生基盤材３を造成することができ、かつ集水効果が高いから良好な育成環境を整えることができる。
【図面の簡単な説明】
【００１４】
【図１】本発明の緑化基盤の構築方法において、同一の法面傾斜線５上に羽根付きアンカー１を設置した状態の説明図。
【図２】法面６に砂基材２を吹き付けた状態の説明図。
【図３】砂基材２層の上に植生基盤材３を吹きつけた状態の説明図。
【符号の説明】
【００１５】
１：羽根付きアンカー
１１：板体
１２：アンカー棒
２：砂基材
３：植生基盤材
４：縦溝部
５：法面系斜線
６：法面
【図１】
0004653698.tif 000002
【図２】
0004653698.tif 000003
【図３】
0004653698.tif 000004